(57)【要約】【課題】洗濯機から公共下水へ通じる排水路に不純物が付着し、これが汚染、腐敗して悪臭を発し、この悪臭が洗濯槽内へ流入した場合、洗濯や乾燥される衣類が悪臭に染まる。また洗濯機の周囲にこの悪臭が漂う。本発明は、洗濯機が洗濯や乾燥される衣類の除菌消臭を行なうためにオゾン発生装置を備えている場合、この機能を有効活用して、この悪臭による弊害を防止する技術を提供するものである。【解決手段】洗濯水槽内の衣類の除菌消臭のためにオゾン発生装置で生成したオゾンを供給する除菌モードを備えた洗濯機において、前記除菌モードのオゾン濃度よりも高いオゾン濃度となる洗浄水を前記洗濯水槽内に生成した後、前記洗浄水を前記洗濯機の排水路へ流す排水路洗浄コースを設けたこと。【選択図】図４
2011010770.tif 000002
【特許請求の範囲】
【請求項１】
洗濯水槽内の衣類の除菌消臭のためにオゾン発生装置で生成したオゾンを供給する除菌モードを備えた洗濯機において、前記オゾン発生装置で生成したオゾンによって、前記除菌モードのオゾン濃度よりも高いオゾン濃度となる洗浄水を前記洗濯水槽内に生成した後、前記洗浄水を前記洗濯機の排水路へ流す排水路洗浄コースを設けたことを特徴とする洗濯機。
【請求項２】
洗濯水槽内の衣類の除菌消臭のためにオゾン発生装置で生成したオゾンを供給する除菌モードを備えた洗濯機において、排水路洗浄コースを設け、前記排水路洗浄コースでは、前記オゾン発生装置で生成したオゾンによって前記除菌モードのオゾン濃度よりも高いオゾン濃度となる洗浄水を前記洗濯水槽内に生成する洗浄水生成モードと、前記洗浄水を前記排水路へ流す排水モードと、再度前記洗濯水槽内に注水した後この水を排水する排水路洗い流しモードを遂行することを特徴とする洗濯機。
【請求項３】
洗濯水槽内の衣類の除菌消臭のためにオゾン発生装置で生成したオゾンを供給する除菌モードを備えた洗濯機において、排水路洗浄コースを設け、前記排水路洗浄コースでは、前記洗濯水槽内に注水して前記洗濯水槽を回転または回動しつつ前記洗濯水槽を洗浄する予備洗浄モードと、前記除菌モードのオゾン濃度よりも高いオゾン濃度となる洗浄水を前記洗濯水槽内に生成する洗浄水生成モードと、前記洗浄水を前記排水路へ流す排水モードと、再度前記洗濯水槽内に注水した後この水を排水する排水路洗い流しモードを遂行することを特徴とする洗濯機。
【請求項４】
洗濯水槽内の衣類の除菌消臭のためにオゾン発生装置で生成したオゾンを供給する除菌モードを備えた洗濯機において、前記洗濯水槽内を略満水まで注水した状態で前記洗濯水槽を所定時間回転または回動した後排水する予備洗浄モードと、前記洗濯水槽内に所定水位まで注水した状態で前記除菌モードのオゾン濃度よりも高いオゾン濃度となる洗浄水を前記洗濯水槽内に生成する洗浄水生成モードと、前記洗浄水を前記排水路へ流す排水モードと、前記洗濯水槽を回転または回動しつつ再度前記洗濯水槽内に注水した後この水を排水する排水路洗い流しモードを遂行する排水路洗浄コースを設けたことを特徴とする洗濯機。
【請求項５】
前記排水路洗浄コースは、選択スイッチによって任意にスタート可能としたことを特徴とする請求項１乃至請求項４のいずれかに記載の洗濯機。
【発明の詳細な説明】
【技術分野】
【０００１】
本発明は、衣類の消臭や除菌の機能を有する洗濯機に関し、衣類乾燥機能付き洗濯機を含み、特に洗濯機の排水が流れる排水路の消臭や除菌を図る技術に関する。
【背景技術】
【０００２】
従来、収容した衣類の洗濯や乾燥を行なうための洗濯水槽内の衣類に、オゾン発生装置で生成したオゾンを供給することにより、衣類の消臭および除菌を行うものが知られており、特許文献１に記載の発明では、衣類が濡れている状態でオゾンを供給するのではなく、衣類の脱水を行なう脱水工程時や洗濯乾燥工程終了後等、衣類が濡れていない状態においてオゾン発生装置で生成したオゾンを前記洗濯水槽内に供給することにより、オゾンによる衣類の消臭および除菌効果が向上した洗濯機が提案されている。
【先行技術文献】
【特許文献】
【０００３】
【特許文献１】特開２００７−１７５２２３号公報
【発明の概要】
【発明が解決しようとする課題】
【０００４】
このようにオゾンによる衣類の消臭および除菌を行なう洗濯機にあっては、衣類の乾燥工程に伴ってエアウォッシュを行なうために、排水路に排水トラップ部を設けている。一方、住宅等の建築物から公共下水へ通じる排水路には、公知の排水トラップ部が設けられている場合があり、この場合、洗濯機から延びた外部排水ホースの出口がこの排水トラップ部の入り口に接続される。このように排水トラップ部を設けた場合、排水の流通は確保するが、その排水の一部が溜まることによって、排水路を通る空気流通が遮断されるため、公共下水の悪臭が洗濯機へ逆流することは防止できる。
【０００５】
しかし、このような排水トラップ部が設けられている場合において、洗濯機の使用頻度が高い場合は、排水トラップ部の水は排水によって交換されるため腐敗することは少ないが、使用頻度が少ない場合や周囲温度が高い状況下では、この排水トラップ部の水が汚染、腐敗して悪臭を発する場合がある。この悪臭が発生した場合、この悪臭が洗濯水槽内へ逆流し、次回に洗濯・乾燥を行う際に、この悪臭が衣類に付着したり、あるいは洗濯機のドアや蓋を開けたとき、その悪臭が周囲へ流出して、不快感を味わうこととなる。
【０００６】
また、排水路内壁に不純物が付着しこれが腐敗した場合や、洗濯機から延びた外部排水ホースが蛇腹状の可撓性パイプで構成されているものにおいて、その蛇腹状の谷部に残った水が汚染、腐敗した場合にも、悪臭が発生し同様の現象を呈することがある。
【０００７】
また、住宅等の建築物から公共下水へ通じる排水路には、排水トラップ部が設けられていない場合もある。この場合も、洗濯機から公共下水へ通じる排水路に不純物が付着し、これが汚染、腐敗して悪臭を発して同様の現象を呈することがある。
【０００８】
本発明は、このような点に鑑み、洗濯機が洗濯や乾燥される衣類の除菌消臭を行なうために、オゾン発生装置を備えている場合、この機能を有効活用して、この悪臭による弊害を防止する技術を提供するものである。
【０００９】
なお、本発明では、洗濯及び脱水機能を備えるが乾燥機能を備えない洗濯機、及び洗濯・脱水・乾燥機能を備えた衣類乾燥機能付き洗濯機の両方を総称して、洗濯機と称する。
【課題を解決するための手段】
【００１０】
第１発明は、洗濯水槽内の衣類の除菌消臭のためにオゾン発生装置で生成したオゾンを供給する除菌モードを備えた洗濯機において、前記オゾン発生装置で生成したオゾンによって、前記除菌モードのオゾン濃度よりも高いオゾン濃度となる洗浄水を前記洗濯水槽内に生成した後、前記洗浄水を前記洗濯機の排水路へ流す排水路洗浄コースを設けたことを特徴とする。
【００１１】
第２発明は、洗濯水槽内の衣類の除菌消臭のためにオゾン発生装置で生成したオゾンを供給する除菌モードを備えた洗濯機において、排水路洗浄コースを設け、前記排水路洗浄コースでは、前記オゾン発生装置で生成したオゾンによって前記除菌モードのオゾン濃度よりも高いオゾン濃度となる洗浄水を前記洗濯水槽内に生成する洗浄水生成モードと、前記洗浄水を前記排水路へ流す排水モードと、再度前記洗濯水槽内に注水した後この水を排水する排水路洗い流しモードを遂行することを特徴とする。
【００１２】
第３発明は、洗濯水槽内の衣類の除菌消臭のためにオゾン発生装置で生成したオゾンを供給する除菌モードを備えた洗濯機において、排水路洗浄コースを設け、前記排水路洗浄コースでは、前記洗濯水槽内に注水して前記洗濯水槽を回転または回動しつつ前記洗濯水槽を洗浄する予備洗浄モードと、前記除菌モードのオゾン濃度よりも高いオゾン濃度となる洗浄水を前記洗濯水槽内に生成する洗浄水生成モードと、前記洗浄水を前記排水路へ流す排水モードと、再度前記洗濯水槽内に注水した後この水を排水する排水路洗い流しモードを遂行することを特徴とする。
【００１３】
第４発明は、洗濯水槽内の衣類の除菌消臭のためにオゾン発生装置で生成したオゾンを供給する除菌モードを備えた洗濯機において、前記洗濯水槽内を略満水まで注水した状態で前記洗濯水槽を所定時間回転または回動した後排水する予備洗浄モードと、前記洗濯水槽内に所定水位まで注水した状態で前記除菌モードのオゾン濃度よりも高いオゾン濃度となる洗浄水を前記洗濯水槽内に生成する洗浄水生成モードと、前記洗浄水を前記排水路へ流す排水モードと、前記洗濯水槽を回転または回動しつつ再度前記洗濯水槽内に注水した後この水を排水する排水路洗い流しモードを遂行する排水路洗浄コースを設けたことを特徴とする。
【００１４】
第５発明は、第１発明乃至第４発明のいずれかにおいて、前記排水路洗浄コースは、選択スイッチによって任意にスタート可能としたことを特徴とする。
【発明の効果】
【００１５】
本発明では、洗濯水槽内の衣類の除菌消臭のためにオゾン発生装置で生成したオゾンを供給する除菌モードを備えた洗濯機において、前記オゾン発生装置で生成したオゾンによって洗濯水槽内の水に前記除菌モードのオゾン濃度よりも高いオゾン濃度となる洗浄水を洗濯水槽内に生成し、この洗浄水を洗濯機の排水路へ流す。このため、洗濯機が洗濯や乾燥される衣類の除菌消臭を行なうために備えたオゾン発生装置を有効活用して、排水路の悪臭による弊害を防止することができるものとなる。
【００１６】
また、排水路に排水トラップ部が形成されている場合は、この排水トラップ部に溜まった水の洗い流しと共に、その水の消臭及び除菌をすることにより、排水トラップから発生する悪臭を防止できる。また、排水路の一部が蛇腹状の可撓性パイプで構成されている場合には、その蛇腹状の谷部に残った水の洗い流しと共に、その水の消臭及び除菌をすることにより、同様の悪臭防止効果を得ることができる。
【００１７】
更に、前記洗浄水を排水路へ流すことにより、排水路の内壁に付着した水垢などの汚物の付着力を低下させるため、その汚物が排水と一緒に剥がれ落ちて流されることとなり、排水路の内壁に付着した汚物から発生する悪臭も防止できる効果を奏することができる。
【００１８】
また、オゾンは洗濯水槽の裏側に付着した汚れに触れると消滅する度合いが高くなるが、洗濯水槽内を略満水状態まで注水してオゾン発生装置を稼動させない状態で洗濯水槽を回転または回動する予備洗浄モードを設けているため、この予備洗浄モードにおいて洗濯水槽の裏側に付着した汚れを予め取り除く動作ができ、洗浄水生成モードに入った場合、オゾンが洗濯水槽の裏側に付着した汚れに触れて消滅する度合いを少なくでき、洗浄水生成モードにおいて所定のオゾン濃度まで上げる時間が短くなり、洗濯水槽の裏側の清掃と、オゾン濃度の高い洗浄水による排水路の洗浄を効果的に行なうことができる。
【００１９】
更にまた、排水路洗浄コースは、洗濯機のユーザ（使用者）が操作キー（図示せず）を操作することによって任意に実行できるため、洗濯機から臭いを感じたとき実行するか、洗濯機の使用頻度を考慮して、例えば１ヶ月に１〜２回実行するか、任意に選択実行できるものである。
【図面の簡単な説明】
【００２０】
【図１】本発明に係る洗濯機の要部縦断側面図である。
【図２】本発明に係る洗濯機の水路及び風路を中心とする構成を図解的に示す図である。
【図３】本発明に係る洗濯機の排水路洗浄コースにおける制御の内容を説明するためのフローチャートである。
【図４】本発明に係る洗濯機の排水路洗浄コースにおける動作を説明するタイミング図である。
【図５】本発明に係る洗濯機の洗濯水槽内に溜めた水のオゾン濃度の増加状態を説明するための図である。
【発明を実施するための形態】
【００２１】
本発明は、洗濯水槽内の衣類の除菌消臭のためにオゾン発生装置で生成したオゾンを供給する除菌モードを備えた洗濯機において、除菌モードのオゾン濃度より高いオゾン濃度となる洗浄水を洗濯水槽内に生成した後、この洗浄水を洗濯機の排水路へ流す排水路洗浄コースを設けたものである。
【実施例１】
【００２２】
以下、本発明に係る前記総称の洗濯機のうち、衣類乾燥機能付き洗濯機１（以下、洗濯乾燥機１という）に基づき、本発明の実施例を説明する。
先ず、洗濯乾燥機１の洗濯機能及び乾燥機能について説明する。
図１において、洗濯乾燥機１は、筐体２内に斜めに配置された洗濯水槽３を備え、洗濯水槽３には、洗濯時に水を溜めるための外槽４と、外槽４内に回転自在に収容されたドラム５とが含まれている。ドラム５は、その周側面に外槽４に溜めた水が流通する多数の通水孔（図示せず）が穿設されており、外槽４の後方に備えられたＤＤモータ６によって回転軸７を中心に回転される。回転軸７は、前方に向かって斜め上方へ延びており、いわゆる斜めドラム構造をしている。ドラム５の前面側の出入口８及び外槽４の前面側の出入口９は、筐体２に取り付けられた円形のドア１０によって開閉される。ドア１０は、ドラム５の内部を透視できるように、ドラム５の出入口８対応面が透明である。ドア１０が開けられ、出入口８、９を通ってドラム５内への衣類（洗濯物）の出し入れがされる。洗濯水槽３はコイルばね及びダンパーを含むサスペンション（図示せず）によって複数個所で筐体２に吊り下げ支持されている。
【００２３】
筐体２の正面上部（ドア１０の上方）には、操作・表示部１３が配置されている。操作・表示部１３には、複数の操作キー（図示せず）及び表示器（図示せず）が配列されており、操作キー（図示せず）を操作することで洗濯乾燥機１の運転を制御でき、表示器（図示せず）には洗濯乾燥機１の運転状況が表示される。
【００２４】
筐体２内の上方には、後述する乾燥工程において回転駆動されるブロア２１（浄化用空気消滅手段および送風手段）、及びブロア２１により洗濯水槽３内へ循環される空気を加熱する（換言すれば洗濯水槽３内の空気を加熱する）ためのヒータ１００（加熱手段）が配置されている。
【００２５】
洗濯水槽３の上部には、図２に示すような水栓１６と、水栓１６から入った水を水路へ供給するのを制御するための給水バルブ１７と、注水口ユニット１８と、オゾン（浄化用空気）を発生するオゾン発生装置１９（以下、オゾン発生器１９という）と、フィルタブロアユニット７０が備えられている。フィルタブロアユニット７０は、ブロア２１、乾燥用フィルタユニット２２及びヒータ１００を備えている。ブロア２１は、乾燥工程において乾燥風路２０（循環風路）内で空気を循環させるためのものであり、乾燥用フィルタユニット２２は、ブロア２１により乾燥風路２０を循環される空気中に含まれるリント等の異物を捕獲するためのものである。
【００２６】
洗濯工程では、給水バルブ１７が制御されて、水栓１６から供給される水道水が洗濯水槽３内に溜められる。その際、水が注水口ユニット１８内の洗剤容器２９（図２参照）を通過して洗濯水槽３に至るようにすれば、洗剤が解けた水を洗濯水槽３に溜めることができる。洗濯工程では、ＤＤモータ６によりドラム５が回転される。また、循環ポンプ２５によって洗濯水槽３内の水がフィルタユニット１５を経由して汲み出され、汲み出された水は第２循環水路５７を通って洗濯水槽３内へ戻るように循環される。第２循環水路５７の途中にはベンチュリー管５８が介在されていて、ベンチュリー管５８（気液混合器またはエゼクタともいう）において、循環水路５７を流れる水にオゾン発生器１９で発生するオゾンが混入されるように、ベンチュリー管５８の空気流入口６０は、エアーチューブ６１を介してオゾン発生器１９へ接続されている。
【００２７】
このように水にオゾンが混入されると、オゾンの強力な酸化、殺菌作用により水が浄化される。すなわち、洗濯水槽３内の水は、洗濯工程において循環され、循環水中にオゾンが混入されることによって浄化されつつ、洗濯に利用される。
【００２８】
乾燥工程では、洗濯水槽３内の後面下方から空気が吸い出されて乾燥風路２０を通って上方へ導かれ、乾燥用フィルタユニット２２で異物が濾過されて洗濯水槽３の上部前面側から洗濯水槽３内へ流入するように循環される。乾燥風路２０内を空気が循環する際に、高温多湿の空気は水と熱交換されることによって冷却除湿される。そのため、乾燥風路２０内には後述のように、水路３９または水路４１から水が供給される。
【００２９】
制御部１２（制御手段）は、洗濯乾燥機１の制御中枢であり、マイクロコンピュータで構成されていて、例えば、筐体２の内部正面下方に配置されている。また、制御部１２には、タイマ（運転時間設定手段）が内蔵されている。制御部１２には、ＤＤモータ６、操作・表示部１３、給水バルブ１７、オゾン発生器１９、ブロア２１、後述の第１排水バルブ４４、水位センサ４７、後述の第２排水バルブ４８、ヒータ１００、及び洗濯水槽３内の空気の温度を検出する温度センサ等が電気的に接続されている。
【００３０】
操作・表示部１３（図１参照）において、ユーザが、洗濯工程（洗い工程及びすすぎ工程）や、乾燥工程や、エアウォッシュ運転を実行させるための操作キー（図示せず）を操作すると、その操作（運転開始信号）に基づいて、制御部１２は、制御部１２に接続されている各部品の作動または駆動を制御して、洗濯工程（洗い工程及びすすぎ工程）や、乾燥工程や、エアウォッシュ運転を実行する。この際、前記タイマが、時間設定したり、経過時間を測定したりする。
【００３１】
次に、図２を参照して、洗濯乾燥機１の水路及び風路を中心とする全体構成について、より詳細に説明をする。
先ず、図２に基づき、洗濯乾燥機１の水路及び風路の構成について説明する。図２は、洗濯乾燥機１の水路及び風路を中心とする構成を図解的に示す図である。水栓１６は給水バルブ１７の流入口に接続されている。給水バルブ１７には４つの出口があり、いずれの出口から水を出すかを切換えることができる。給水バルブ１７の第１出口２８は注水口ユニット１８に接続されている。注水口ユニット１８内には、第１出口２８から供給される水を給水路３２から洗濯水槽３へと導く水路と、呼び水水路３３へと導く水路とに分岐器２３で分ける２分岐水路が含まれている。水栓１６が開かれた状態で、開いた給水バルブ１７の第１出口２８から注水口ユニット１８へ供給される水は、呼び水水路３３を通って風呂水ポンプ３４を経由し、水路３７を通って洗剤容器２９へと流れる。そして洗剤容器２９内に区画された洗剤収容室を経由して給水路３０から洗濯水槽３へと流入するようにされている。また、分岐されて給水路３２へ流れる水は、洗剤容器２９内に区画された洗剤収容室を経由して給水路３２から洗濯水槽３へと流入するように構成してもよい。また、分岐されて給水路３２へ流れる水の一部の水は、洗濯水槽３の前面に備えられたドア１０（図１参照）の上部からドア１０の内面を伝って洗濯水槽３内へ流れ込むようにされている。給水バルブ１７の第２出口３１も注水口ユニット１８に接続されており、第２出口３１を開いたときに第２出口３１から供給される水は、洗剤容器２９内に区画された柔軟剤収容室を通って給水路３０から洗濯水槽３へと流れ込むようにされている。
【００３２】
一方、風呂水ポンプ３４が駆動されると、浴槽３５の残り湯が風呂水ホース３６を介して汲み上げられて水路３７から注水口ユニット１８へ流入し、洗剤容器２９の洗剤収容室を通り、給水路３０から洗濯水槽３へと供給される。
このように、給水路３０によって、洗濯水槽３への給水が行われる。
給水バルブ１７の第３出口３８は水路３９によって乾燥風路２０の所定位置に接続されている。また、給水バルブ１７の第４出口４０は水路４１によって乾燥風路２０の所定位置に接続されている。第３出口３８は相対的に小径の出口であり、第４出口４０は相対的に大径の出口である。このため、第３出口３８が開かれると、相対的に少量の水が水路３９を経由して乾燥風路２０に供給される。この水は、乾燥風路２０内で高温多湿の循環空気と接触され熱交換に寄与する。第４出口４０が開かれると、水路４１を介して乾燥風路２０に相対的に多量の水がシャワー状に供給される。この水は、乾燥風路２０内を上昇してくる循環空気に含まれるリントその他の異物や、乾燥風路２０の内壁に付着したリントその他の異物を洗い流すのに寄与する。
【００３３】
洗濯工程（洗い工程及びすすぎ工程）において、上記の給水によって洗濯水槽３に水が溜められる。洗濯水槽３の底面最下部（より具体的には外槽４の底面最下部）には排水口４２が形成されている。排水口４２には水路４３を介して第１排水バルブ４４の流入口が接続されており、第１排水バルブ４４の流出口は水路４５を介してフィルタユニット１５の流入口と接続されている。第１排水バルブ４４が閉じられることにより、洗濯水槽３（外槽４）内に水を溜めることができる。洗濯水槽３内の水位は、水路４３から分岐し上方へ延びたエアーホース４６内の圧力変化に基づき、水位センサ４７により検知される。洗濯水槽３（外槽４）内に水を溜めた状態で、ＤＤモータ６によりドラム５が回転されて、所定の洗濯工程が行なわれる。
【００３４】
フィルタユニット１５は、ケース１５０を有しており、ケース１５０内に異物を捕獲するためのフィルタ本体８３が備えられている。ケース１５０には、前記流入口１５１と排水口１５２が形成されており、排水口１５２には第２排水バルブ４８の流入口が接続されており、第２排水バルブ４８の流出口は第１排水路４９を介して第２排水路を形成する外部排水ホース５０と接続されている。これによって、第２排水バルブ４８の出口から下流側の排水路が、本発明の排水路２４を構成する。
【００３５】
後述のように、洗濯乾燥機１では、衣類の乾燥工程に伴ってエアウォッシュを行なうために、排水路２４に排水トラップ部を設けている。実施例では、第１排水路４９の途中に排水トラップ部６９が形成されている。この排水トラップ部６９は、排水の流通は確保するが、その排水の一部が溜まることによって、排水路２４を通る空気流通が遮断される構成であり、この構成は公知である。
【００３６】
このような構成において、第１排水バルブ４４及び第２排水バルブ４８が開かれると、洗濯水槽３内の水は、排水口４２、水路４３、第１排水バルブ４４、水路４５、フィルタユニット１５、排水口１５２、第２排水バルブ４８、第１排水路４９、排水トラップ部６９及び外部排水ホース５０を通って下水路へ排水される。排水トラップ部６９によって、この排水の一部が溜まり、この水によって排水路２４内の空気流通が遮断された状態を保つ。
【００３７】
第１排水路４９には溢水用水路５２の一端（下端）が合流している。溢水用水路５２の他端（上端）は外槽４に設けられた溢水口５３に連通している。このため、洗濯水槽３に水が溜まり過ぎ、その水位が所定水位以上になった場合は溢水口５３から水が溢れ、第２排水バルブ４８の開閉の如何に拘らず、その水は溢水用水路５２から排水路２４を通って下水路へと排出される。
【００３８】
なお、溢水用水路５２の上下方向途中部と、フィルタユニット１５の排水口１５２との間には気圧調整用のホース５４が接続されている。このホース５４を設けたことにより、洗濯水槽３内の気圧とフィルタユニット１５の排水口１５２側の気圧とが等しくなり、フィルタユニット１５内において水が逆流する等の不具合が防止されている。
【００３９】
フィルタユニット１５の流出口１５２には第１循環水路５５の一端が接続され、第１循環水路５５の他端は循環ポンプ２５の吸い込み口に接続されている。循環ポンプ２５の吐出口にはベンチュリー管５８を介して第２循環水路５７の一端が接続されている。第２循環水路５７の他端側は、洗濯水槽３内に溜められる水の通常の水位よりも高い位置まで上方へ延び、その先に形成した上から下向きのＵターン部（図示せず）を経て、洗濯水槽３内（外槽４内）に連通している。
【００４０】
上記の構成を有しているため、洗い工程及び／またはすすぎ工程において、洗濯水槽３に一定量の水が溜められ、第１排水バルブ４４が開けられ、第２排水バルブ４８が閉じられた状態で、循環ポンプ２５が駆動されることにより、洗濯水槽３内に溜められた水は、排水口４２→水路４３→第１排水バルブ４４→水路４５→フィルタユニット１５の流入口１５１→ケース１５０→流出口１５２→第１循環水路５５→循環ポンプ２５→第２循環水路５７→前記Ｕターン部→洗濯水槽３へと循環され、ドラム５の回転を伴って洗濯水槽３内で衣類の洗い及び／またはすすぎが行なわれる。
【００４１】
ベンチュリー管５８には空気流入口６０が備えられていて、空気流入口６０にはエアーチューブ６１を介してオゾン発生器１９が接続されている。ベンチュリー管５８に循環ポンプ２５から水が流れるときに、オゾン発生器１９が作動される除菌モードにおいて、オゾン発生器１９で生成されるオゾンを含む空気（浄化用空気）は、エアーチューブ６１を介して空気流入口６０からベンチュリー管５８内へ流入される。流入原理は、ベンチュリー管５８内を流れる水により生じる圧力差（負圧）によって、エアーチューブ６１を介してオゾンを含む空気（浄化用空気）が吸引され、循環される水にオゾンが混入される。循環される水にオゾンが混入されると、オゾンの強い酸化力および殺菌力によって循環水が浄化され、浄化された水を用いて洗濯水槽３内での洗濯を行うことができる。
【００４２】
このように洗濯水槽３内で洗い工程及び／またはすすぎ工程が行なわれた後、給水バルブ１７が閉じ、第１排水バルブ４４及び第２排水バルブ４８が開かれると、洗濯水槽３内の水は、排水口４２、水路４３、第１排水バルブ４４、水路４５、フィルタユニット１５、排水口１５２、第２排水バルブ４８、第１排水路４９、排水トラップ部６９及び外部排水ホース５０を通って下水路へ排水される。排水トラップ部６９によって、この排水の一部が溜まり、この水によって排水路２４内の空気流通が遮断された状態を保つ。
【００４３】
洗濯乾燥機１には、制御部１２の動作に基づく乾燥工程を実行するために前記の乾燥風路２０が備えられている。乾燥風路２０は、洗濯水槽３（外槽４）の外側に配置され、外槽４の背面下方部から洗濯水槽３内の空気を吸い出し、その空気を外槽４の前方側上方部から洗濯水槽３内へ流入させるように空気を循環させるための風路である。乾燥風路２０には、接続パイプ６６、フィルタブロアユニット７０及び接続パイプ６７が含まれている。つまり、乾燥風路２０の一端（下端）が洗濯水槽３の下部に接続され、乾燥風路２０の他端（接続パイプ６７）が洗濯水槽３の上部に接続されている。そして、ブロア２１が回転駆動されると、洗濯水槽３内の空気が乾燥風路２０と洗濯水槽３との間で循環する。換言すれば、ブロア２１が、洗濯水槽３内の空気を乾燥風路２０を用いて循環させる。乾燥工程ではドラム５が低速回転されて、衣類がドラム５のバッフル７３（図１参照）によって攪拌されるので、ドラム５内での衣類の乾燥が良好に行なわれる。
【００４４】
乾燥風路２０において、フィルタブロアユニット７０から接続パイプ６７へ繋がる風路内には、ヒータ１００が備えられており、循環される空気が加熱される。ヒータ１００は、たとえば半導体ヒータを用いることができる。図２を参照して、乾燥風路２０内では、洗濯水槽３から吸い出された高温多湿の空気が、水路３９を経由して乾燥風路２０に供給される少量の水と熱交換して除湿される。また、乾燥風路２０内を循環する空気に含まれるリントなどの異物及び乾燥風路２０の内壁に付着した異物が、水路４１を介して乾燥風路２０にシャワー状に供給される多量の水によって洗い流される。そして、乾燥風路２０内を下方へ流れ落ちた水は、リントなどの異物を伴って外槽４の下方から排水口４２を通り、水路４３→第１排水バルブ４４→水路４５→フィルタユニット１５へと流れる。そしてフィルタユニット１５において、リント等の異物は捕獲されて除去される。
【００４５】
更に、フィルタブロアユニット７０には、エアーチューブ７１を介してオゾン発生器１９が接続されている。このため、乾燥工程において、オゾン発生器１９が作動される除菌モードにおいて、オゾン発生器１９が発生するオゾンを含む浄化用空気は、フィルタブロアユニット７０内へ吸い込まれ、洗濯水槽３へ循環される空気にオゾンを含む空気を混入することができる。なお、オゾン及びオゾンを含む空気のいずれもが浄化用空気とされる。この浄化用空気によって、乾燥する衣類の消臭や除菌（エアウォッシュ）を行うことができる。なお、このエアウォッシュに関して、浄化用空気（エア）によって、衣類が恰もエアで洗われ、除菌・消臭されるかの如くであるから、本願の出願人は、浄化用空気を用いて行う衣類の除菌・消臭をエアウォッシュと称している。そして、フィルタブロアユニット７０、エアーチューブ７１及びオゾン発生器１９は、洗濯水槽３へ浄化用空気を供給するための浄化用空気供給手段として機能する。このようなエアウォッシュ運転において、ユーザがドラム５を回転させることを選択している場合には、制御部１２が、浄化処理においてＤＤモータ６を駆動してドラム５を回転させる。これにより、衣類がドラム５のバッフル７３（図１参照）によって攪拌されるので、浄化用空気を衣類に良好に浴びせることができる。
【００４６】
また、このようなエアウォッシュ機能（消臭機能）を有する洗濯乾燥機１では、上述した乾燥工程に伴ってエアウォッシュを行うのとは別に、洗濯工程および乾燥工程から独立してエアウォッシュのみを行う運転（エアウォッシュ運転）が実行される。なお、エアウォッシュ運転では、洗濯水槽３内において、上述した衣類に限らず、靴、帽子および鞄などの身の回り品全般の消臭を行うことができる。この場合、ドラム５は回転させない。以下では、説明の便宜上、衣類がエアウォッシュされる場合を想定している。
【００４７】
ここで、エアウォッシュに関し、給水路３０の途中には、給水トラップ部６８が設けられ、排水路２４の途中には、排水トラップ部６９が設けられている。エアウォッシュを実行する場合には、予め、給水路３０に所定量の水が流されることによって給水トラップ部６８に水が溜められて給水トラップが形成され、かつ、排水路４９に所定量の水が流されることによって排水トラップ部６９に水が溜められて排水トラップが形成される。これにより、洗濯水槽３の内部が密閉され、これらのトラップ形成後に、洗濯水槽３に収納された衣類は、洗濯水槽３へ供給される浄化用空気によって消臭され、エアウォッシュ中に洗濯水槽３内の浄化用空気が洗濯乾燥機１の外部へ漏れることが防止されている。
【００４８】
なお、給水路３０は、外部に連通する洗剤容器２９に接続されており、また、排水路４９は、外部排水ホース５０を介して外部に連通している。そのため、給水路３０及び排水路４９は、洗濯水槽３内の洗浄用空気の漏れが最も懸念される箇所であり、これらの箇所では、エアウォッシュに先立って上記のようにトラップを形成するので洗濯水槽３が密閉される。
【００４９】
一方、給水路３０及び排水路４９以外の箇所、例えば、給水路３２、呼び水水路３３及び水路３７には、逆止弁（図示せず）が設けられている。また、給水バルブ１７の流入口及び出口が閉じられると、洗濯水槽３内の洗浄用空気が水栓１６側へ漏れることはない。つまり、給水路３０及び排水路４９以外の箇所で洗濯水槽３内の洗浄用空気が外部への漏れることは殆んどない。
【００５０】
以上のように、この洗濯乾燥機１では、制御部１２が、衣類の消臭（エアウォッシュ）に先立って、上述した運転開始信号に基づいて給水路３０の給水トラップ部６８および排水路２４の排水トラップ部６９にそれぞれトラップを形成するので、洗濯水槽３が密閉される。そして、トラップ形成後に、洗濯水槽３に収納された衣類は、洗濯水槽３へ供給される浄化用空気によって消臭される。このとき、洗濯水槽３が密閉されているので、洗濯水槽３から洗濯乾燥機１の外部へ洗浄用空気が漏れる心配はない。
【００５１】
上記のように、洗濯水槽３内の衣類の消臭や除菌（エアウォッシュ）を行うエアウォッシュ機能と、洗濯水槽３内の水にオゾンが混入する浄化水機能とを備えているが、製造される洗濯機に関し、エアウォッシュ機能を標準装備とし、コストアップとなる浄化水機能をオプション機能とする組み合わせによって、機種を定めることができる。
【００５２】
上記のように、洗濯乾燥機１では、衣類の乾燥工程に伴ってエアウォッシュを行なうために、排水路２４に排水トラップ部６９を設けている。一方、住宅等の建築物から公共下水へ通じる排水路には、図２に示すように、公知の排水トラップ部５１が設けられている場合がある。この場合、外部排水ホース５０の出口が排水トラップ部５１の入り口に接続され、排水トラップ部５１では、排水の流通は確保するがその排水の一部が溜まることによって、排水路２４を通る空気流通が遮断される構成である。また、住宅等の建築物から公共下水へ通じる排水路には、排水トラップ部５１が設けられていない場合もある。
【００５３】
このように、洗濯乾燥機１に排水トラップ部６９が設けられている場合、または住宅等の建築物から公共下水へ通じる排水路に排水トラップ部５１が設けられている場合には、上記のように、この排水トラップ部６９や排水トラップ部５１に溜まった水が腐敗して悪臭の原因となり、この悪臭が排水路２４を上流側へ流れて洗濯水槽３内へ侵入し、次回に洗濯等を行う際に、この悪臭が衣類に付着したり、あるいは衣類乾燥機、洗濯機または衣類乾燥機能付き洗濯機のドアや蓋を開けたとき、その悪臭が周囲へ流出して、不快感を味わうこととなる。
【００５４】
また、このような排水トラップ部が設けられていない場合もあるが、排水トラップ部が設けられていても、また設けられていない場合でも、排水路内壁に不純物が付着しこれが腐敗した場合や、洗濯乾燥機から延びた外部排水ホースが蛇腹状の可撓性パイプで構成されているものにおいては、その蛇腹状の谷部に残った水が腐敗した場合にも、悪臭が発生し同様の現象を呈することがある。
【００５５】
本発明は、このような点に鑑み、排水トラップ部の水の腐敗による悪臭の発生や、排水路内の残水の腐敗による悪臭の発生や、排水路内に付着した不純物の腐敗による悪臭の発生を防止するために、特に排水路２４を高いオゾン濃度の洗浄水で洗浄する排水路洗浄コースを備えたものとしている。
【００５６】
以下、この排水路洗浄コースを図３〜図５に基づき説明する。図３は排水路洗浄コースにおける制御の内容を説明するためのフローチャートである。図４は排水路洗浄コースにおける動作を説明するタイミング図である。図５は洗濯水槽３内に溜めた水のオゾン濃度の増加状態を説明するための図である。
【００５７】
操作・表示部１３（図１参照）において、ユーザが、排水路洗浄コースを選択するための操作キー（図示せず）を操作すると、その操作（運転開始信号）に基づいて、制御部１２は、この制御部１２に接続されている各部品の作動または駆動を制御して、排水路洗浄コースを実行する。この際、この制御部に含まれるタイマが、時間設定したり、経過時間を測定したりすることにより、排水路洗浄コースが実行される。
【００５８】
図３において、上記のように、排水路洗浄コースを選択するための操作キー（図示せず）を操作すると（ステップＳ１）、排水路洗浄コースが選択されたか否かが判定され（ステップＳ２）、排水路洗浄コースが選択されているときはＹｅｓとなる。このＹｅｓによって予備洗浄モードとなり、第２排水バルブ４８が閉じており、給水バルブ１７が開いて洗濯水槽３への給水が開始されると共に、第１排水バルブ４４が開き、循環ポンプ２５が駆動される（図４のタイミングＴ０）。この場合、循環ポンプ２５は給水がある程度進んだ状態で駆動されてもよい。この給水は、上記同様に、水栓１６を通り給水バルブ１７の第１出口２８から注水口ユニット１８を経て、分岐されて給水路３２から洗濯水槽３へ所定の高水位（実施例では満水状態）になるまで給水される。洗濯水槽３の高水位、即ち満水状態は、制御部１２にてタイマ制御された給水時間によって設定されるが、単位時間当たりの給水量が少ない場合があるので、水位センサ４７の検出によって満水状態が検出されるまで、その給水時間が延長される仕組みである。
【００５９】
洗濯水槽３内に溜められた水は、排水口４２→水路４３→第１排水バルブ４４→水路４５→フィルタユニット１５の流入口１５１→ケース１５０→流出口１５２→第１循環水路５５→循環ポンプ２５→第２循環水路５７→前記Ｕターン部→洗濯水槽３へと循環される。また、満水給水が終わる前の図４のタイミングＴ１でＤＤモータ６によりドラム５が回転されて、洗濯水槽３内ですすぎ運転が開始し、満水給水終了の図４のタイミングＴ２まで運転される。この運転時間は約４分である（ステップＳ３）。満水給水の終了によって給水バルブ１７が閉じ、循環ポンプ２５が停止する（図４のタイミングＴ２）。これが予備洗浄工程である。図４に示すＴ０が排水路洗浄コースの開始タイミングであり、また予備洗浄工程の開始タイミングである。また、Ｔ２が予備洗浄工程の終了タイミングである。
【００６０】
予備洗浄工程が終了し予備洗浄排水工程が開始する（図４のタイミングＴ２）。予備洗浄排水工程では、給水バルブ１７が閉じており、第１排水バルブ４４及び第２排水バルブ４８が開状態となり、洗濯水槽３内の水は、排水口４２、水路４３、第１排水バルブ４４、水路４５、フィルタユニット１５、排水口１５２、第２排水バルブ４８、第１排水路４９、排水トラップ部６９及び外部排水ホース５０を通って下水路へ排水される。タイミングＴ３で第２排水バルブ４８が閉じて、予備洗浄排水工程が終了する。このように予備洗浄排水工程は、図４に示すタイミングＴ２で開始しタイミングＴ３で終了する。この予備洗浄排水工程の終了によって、予備洗浄モードが終了する。予備洗浄モードは、図４に示すタイミングＴ０〜Ｔ３の期間であり、予備洗浄モードでは、オゾン発生器１９は停止状態である。
【００６１】
この予備洗浄モードは、洗濯水槽３の壁、特にドラム５の裏側（外面）に付着した汚れを予め取り除く動作を行うものであり、後述の洗浄水生成モードにおいて、オゾンが洗濯水槽３の裏側に付着した汚れに触れて消滅する度合いを少なくするためである。
【００６２】
予備洗浄モードが終了した後、洗浄水生成モードが開始する。洗浄水生成モードでは、洗濯水槽３内に所定水位（実施例では所定の低水位）への給水（注水ともいう）を行なう給水工程が開始する。この給水工程は、図４のタイミングＴ３で開始し、上記同様に給水バルブ１７が開き、水栓１６を通り給水バルブ１７の第１出口２８から注水口ユニット１８を経て、分岐されて給水路３２から洗濯水槽３へ所定の低水位になるまで給水される。洗濯水槽３の低水位給水態は、タイマ制御された給水時間によって設定されるが、単位時間当たりの給水量が少ない場合があるので、水位センサ４７の検出によって低水位状態が検出されるまで、その給水時間が延長される仕組みである。この給水は、ステップＳ４であり、図４のタイミングＴ６で終了する。
【００６３】
この給水の間に、オゾン水生成工程が開始し、図４のタイミングＴ４で循環ポンプ２５が駆動され、図４のタイミングＴ５でオゾン発生器１９が作動する。なお、ＤＤモータ６は停止状態であり、ドラム５は回転停止して静止している（ステップＳ５）。
【００６４】
オゾン水生成工程では、循環ポンプ２５が駆動されることにより、上記同様に、洗濯水槽３内に溜められた水は、排水口４２→水路４３→第１排水バルブ４４→水路４５→フィルタユニット１５の流入口１５１→ケース１５０→流出口１５２→第１循環水路５５→循環ポンプ２５→ベンチュリー管５８→第２循環水路５７→前記Ｕターン部→洗濯水槽３へと循環される。これと並行して、ベンチュリー管５８に循環ポンプ２５から水が流れるときに、オゾン発生器１９で生成されるオゾンを含む空気（浄化用空気）は、エアーチューブ６１を介して空気流入口６０からベンチュリー管５８内へ流入され、循環される水にオゾンが混入され、洗濯水槽３内の水のオゾン濃度が上昇する（ステップＳ６）。この循環される水によって、この循環経路は浄化される。
【００６５】
図４のタイミングＴ６以降も循環ポンプ２５が駆動され、オゾン発生器１９が作動するため、それによって循環水中のオゾン濃度が上昇し、それが循環ポンプ２５とオゾン発生器１９が停止する図４のタイミングＴ７まで継続する。図４のタイミングＴ５からタイミングＴ７までが、循環水中のオゾン濃度を所定値に達するまで上昇させる時間である。洗濯水槽３内の水のオゾン濃度を所定濃度まで上げる場合の制御方法としては、時間制御と濃度測定制御がある。濃度測定制御の場合は、濃度検知装置が必要となりコストアップとなるが、時間制御の場合は、前記制御部１２のタイマによってオゾン発生器１９を所定時間作動させればよいため、低コスト化に適する。この時間制御の場合は、循環水中のオゾン濃度が所定値（図３では、０．３ｐｐｍとしている）に達するまでの時間を、予めテストによって定め、この時間でオゾン発生器１９を作動させればよい（図３では、２０分としている）。図３のステップＳ６は、０．３ｐｐｍに達したとき、またはオゾン発生器１９を２０分間作動させたとき、ステップＳ７へ進むことを示している。
【００６６】
循環水中のオゾン濃度の所定値は、上記洗濯水槽３内での乾燥工程においてオゾン発生器１９が作動される除菌モード、または上記洗濯水槽３内での洗い工程及び／またはすすぎ工程での除菌モードでのオゾン濃度よりも高い濃度である。実施例では、前記除菌モードのオゾン濃度は、人体等への悪影響がなく、且つ衣類を傷めない範囲の濃度に設定しており、０．０４ｐｐｍ〜０．０８ｐｐｍとしている。そして、洗浄水生成モードでのオゾン濃度は、人体等への悪影響がない範囲であって、排水管２４等の洗浄に適した濃度に設定しており、０．１ｐｐｍ〜０．８ｐｐｍとしている。このように、除菌モードでのオゾン濃度が人体等への悪影響がなく、且つ衣類を傷めない範囲の濃度に設定されておれば、それの１．２５倍〜７．５倍の範囲の洗浄水生成モードでのオゾン濃度を設定すれば、排水管２４などの洗浄として好ましい状態である。
【００６７】
このように、洗濯水槽３内に所定水位（実施例では所定の低水位）まで注水し、前記除菌モードのオゾン濃度よりも高いオゾン濃度となる洗浄水を洗濯水槽３内に生成する。これが洗浄水生成モードであり、図３のステップＳ４〜ステップＳ６であり、図４に示すタイミングＴ３〜Ｔ７の期間である。
なお、この洗浄水生成モードにおいて、ドラム５を所定時間回転または回動するようにすれば、ドラム５の裏側の水垢等の付着力をオゾンによって減少させることの効果を得られる。
【００６８】
この洗浄水生成モードの後、循環ポンプ２５とオゾン発生器１９を停止し（図３のステップＳ７、図４のタイミングＴ７）、前記高いオゾン濃度の洗浄水を排水路２４へ流す洗浄水排水モードを遂行する。この洗浄水排水モードでは、給水バルブ１７は閉じており、第１排水バルブ４４及び第２排水バルブ４８を開状態として（図３のステップＳ８、図４のタイミングＴ８）、洗濯水槽３内の洗浄水は、排水口４２、水路４３、第１排水バルブ４４、水路４５、フィルタユニット１５、排水口１５２、第２排水バルブ４８、第１排水路４９、排水トラップ部６９及び外部排水ホース５０を通って下水路へ排水される。図４のタイミングＴ９でこの洗浄水排水モードは終了し、図３のステップＳ９は、この洗浄水排水モードの終了によってステップＳ１０へ進むことを示している。
【００６９】
この洗浄水排水モードでは、排水される高いオゾン濃度の洗浄水が、排水口４２から下流へ流れるが、特に、第２排水バルブ４８の下流側の排水路２４の洗浄に効果的である。この洗浄水の排水によって、排水トラップ部６９に溜まった水がこの洗浄水と交換されると共に、外部排水ホース５０が蛇腹形状である場合は、この蛇腹部に溜まった水もこの洗浄水と交換されるため、排水路２４の除菌と消臭ができる。これと共に、排水トラップ部６９と５１を含む排水路２４の内壁に付着した水垢（不純物）の付着力は、この高いオゾン濃度の洗浄水の作用によって減衰するため、剥がれ易くなる。
【００７０】
本発明では、この付着力の弱まった水垢（不純物）を洗い流すための、排水路洗い流しモードを備えている。前記洗浄水排水モードの終了によって、図３のステップＳ１０へ進み、排水路洗い流しモードへ移行する。排水路洗い流しモードでは、先ず洗濯水槽３内へ所定水位の給水を行なう給水工程が開始する。この給水工程は、第２排水バルブ４８を閉じ（図３のステップＳ１０、図４のタイミングＴ９）、そして、図３のステップＳ１１へ進み、洗濯水槽３内に所定水位（実施例では所定の低水位）への給水（注水ともいう）を行なう。この給水は、図４のタイミングＴ９で開始し、上記同様に、水栓１６を通り給水バルブ１７の第１出口２８から注水口ユニット１８を経て、分岐されて給水路３２から洗濯水槽３へ所定の高水位（実施例では満水状態）になるまで給水される。洗濯水槽３の高水位給水は、タイマ制御された給水時間によって設定されるが、単位時間当たりの給水量が少ない場合があるので、水位センサ４７の検出によって高水位状態が検出されるまで、その給水時間が延長される仕組みである。この給水は、図４のタイミングＴ１２で給水バルブ１７が閉じて終了する（図３のステップＳ１３）。
【００７１】
この給水の間に、図４のタイミングＴ１０で循環ポンプ２５が駆動され、図４のタイミングＴ１１でＤＤモータ６が始動しドラム５が回転又は回動する（図３のステップＳ１２）。このドラム５の回転又は回動によって、ドラム５の裏側等に付着した水垢等の剥がれ落ちを促進し洗濯水槽３内を清掃することができる。なお、オゾン発生器１９は作動を停止している。
【００７２】
この洗濯水槽３内への所定の低水位給水の後、洗濯水槽３内の水を排水路２４へ流す洗い流し排水工程を遂行する。この洗い流し排水工程では、給水バルブ１７は閉じており、第１排水バルブ４４及び第２排水バルブ４８を開状態として（図３のステップＳ１４、図４のタイミングＴ１２）、洗濯水槽３内の水は、排水口４２、水路４３、第１排水バルブ４４、水路４５、フィルタユニット１５、排水口１５２、第２排水バルブ４８、第１排水路４９、排水トラップ部６９及び外部排水ホース５０を通って下水路へ排水される。
【００７３】
この排水によって、排水路洗浄コースが終了する。なお、この排水は、前記制御部１２のタイマによって所定時間行われて終了する（図３のステップＳ１５）。なお、排水路洗浄コースの終了直後にドラム５内にオゾンが溜まっている場合を考慮して、排水路洗浄コースの終了直後にドア１０を開いた場合、そのオゾンが漏れることを防止する対策として、この排水時間中に、洗濯水槽３内の空気中に含まれたオゾンを消滅させる消オゾン工程を実行することができる。この消オゾン工程は、ブロア２１を回転駆動し、ヒータ１００を適宜通電してオゾンが消滅する５０℃を超えた空気温度とし、この空気が乾燥風路２０と洗濯水槽３との間で循環するようにすれば、消オゾン効果が得られる。
【００７４】
このように排水路洗浄コースでは、前記洗浄水排水モードによって高いオゾン濃度の洗浄水が排水路２４へ流れることにより、排水トラップ部６９と５１を含む排水路２４の内壁に付着した水垢（不純物）の付着力が弱まり、それが洗い流される。このため、高いオゾン濃度の洗浄水を排水路２４へ流す洗浄水排水モードと、排水路洗い流しモードとの組み合わせによって、ドラム５の裏側に付着した水垢等の除去と、排水路２４の除菌消臭と、更に排水路２４の水垢等の洗い流しの効果を奏することができ、洗濯機１の排水路２４から生じる悪臭を防止できるものとなる。
【００７５】
上記排水路洗浄コースは、洗濯水槽３内に注水して洗濯水槽３のドラム５を回転または回動しつつ洗濯水槽３を洗浄する予備洗浄モードと、オゾン発生装置１９で生成したオゾンによって、前記除菌モードのオゾン濃度よりも高いオゾン濃度となる洗浄水を洗濯水槽３内に生成する洗浄水生成モードと、前記洗浄水を排水路２４へ流す排水モードと、洗濯水槽３内に注水した後この水を排水する排水路洗い流しモードを遂行する構成である。この場合、予備洗浄モードは、高いオゾン濃度となる洗浄水を生成する前に、予め洗濯水槽３の汚れを取り除く工程であるが、洗濯水槽３の汚れが殆んどない状態であれば予備洗浄モードは不要であるため、予備洗浄モードを省いて、洗浄水生成モードから実行するようにしてもよい。
【００７６】
上記排水路洗浄コースは、洗濯及び脱水機能を備えるが乾燥機能を備えない洗濯機、及び洗濯・脱水・乾燥機能を備えた衣類乾燥機能付き洗濯機のいずれの洗濯機１にも適用できるものであり、乾燥機能を備えない洗濯機では、洗い工程での洗濯水及び／またはすすぎ工程でのすすぎ水にオゾンを混入させるオゾン発生装置１９を設けたものであればよい。
【００７７】
また、上記排水路洗浄コースは、洗濯機１のユーザ（使用者）が操作キー（図示せず）を操作することによって任意に実行できるため、洗濯機１から臭いを感じたとき実行するか、洗濯機１の使用頻度を考慮して、例えば１ヶ月に１〜２回実行するか、任意に選択実行できるものである。
【００７８】
なお、洗濯機１の運転間隔や周囲温度等を制御部で認識して、何回目かの洗濯機１の運転が終了したとき、この排水路洗浄コースを自動的に実行するように構成してもよい。
【産業上の利用可能性】
【００７９】
本発明に係る洗濯機は、上記実施例に示した構成に限定されず、上面開口の回転ドラムを備えた縦型洗濯機においても、上記同様の作用をすることができるため、本発明は、種々の形態の洗濯機に適用できるものであり、本発明の技術範囲において種々の形態を包含するものである。
【符号の説明】
【００８０】
１      洗濯乾燥機
３      洗濯水槽
４      外槽
５      ドラム
１７    給水バルブ
１９    オゾン発生器
２０    乾燥風路
２１    ブロア
２４    排水路
２５    循環ポンプ
３０    給水路
４２    排水口
４４    第１排水バルブ
４８    第２排水バルブ
４９    第１排水路
５０    第２排水路（外部排水ホース）
５１    排水トラップ部
６８    給水トラップ部
６９    排水トラップ部
７０    フィルタブロアユニット
７１    エアーチューブ
１００  ヒータ
【図１】
2011010770.tif 000003
【図２】
2011010770.tif 000004
【図３】
2011010770.tif 000005
【図４】
2011010770.tif 000006
【図５】
2011010770.tif 000007